(57)【要約】【課題】貯湯タンクから端末へ至るまでの配管での漏水の検知が行えなかった。【解決手段】給水源からの給水流量を検出する給水流量検出器５と、端末への給湯流量を検出する給湯流量検出器１２と、端末への給湯流量を調節する注湯電磁弁１５と、制御器１６とを備え、制御器１６は、注湯電磁弁１５が閉で、かつ給水流量検出器５により検知される流量と、給湯流量検出器１２により検知される流量との差が所定値以上であるとき、給水流量検出器５の出口側から端末の間で漏水が発生していると判断する。【選択図】図１
2006132891.tif 000002
【特許請求の範囲】
【請求項１】
給水源からの給水流量を検出する給水流量検出器と、端末への給湯流量を検出する給湯流量検出器と、前記端末への給湯流量を調節する注湯電磁弁と、制御器とを備え、前記制御器は、前記注湯電磁弁が閉で、かつ前記給水流量検出器により検知された流量と前記給湯流量検出器により検知された流量との差が所定値以上であるとき、前記給水流量検出器の出口側から前記給湯流量検出器の入口側までの間で漏水が発生していると判断することを特徴とする給湯装置。
【請求項２】
給水源からの給水流量を検出する給水流量検出器と、端末への給湯流量を検出する給湯流量検出器と、前記端末への給湯流量を調節する注湯電磁弁と、前記注湯電磁弁の出口側に風呂流量検出器と、制御器とを備え、前記制御器は、前記風呂流量検出器が流量を検知せず、かつ前記給湯流量検出器が流量を検知せず、かつ前記給水流量検出器が流量を検知した場合に、前記給水流量検出器の出口側から前記給湯流量検出器の入口側までの間で漏水が発生していると判断する給湯装置。
【請求項３】
給水流量検出器の入口側に遮断弁を設け、漏水が発生したと判断した場合に前記遮断弁を閉止とすることを特徴とする請求項１または２記載の給湯装置。
【請求項４】
操作部を備え、遮断弁が閉止した場合に前記操作部より警告音を発することを特徴とする請求項３記載の給湯装置。
【発明の詳細な説明】
【技術分野】
【０００１】
本発明は、給湯装置に関するものである。
【背景技術】
【０００２】
従来、この種の給湯装置は、湯を貯える貯湯タンクの下方に漏水センサーを設置し、その漏水センサーにより漏水が検出されたときに、制御手段等により自動給水弁を閉じることにより、貯湯タンク内への給水に伴う湯の外部への供給を自動的に停止できるものであった（例えば、特許文献１参照）。
【特許文献１】特開平５−１５７３５１号公報
【発明の開示】
【発明が解決しようとする課題】
【０００３】
しかしながら、前記従来の構成では、貯湯タンクや貯湯タンク近辺からの漏水は検出できたが、貯湯タンクから端末へ至るまでの配管における漏水は検知できなかった。
【０００４】
本発明は、上記従来の課題を解決するもので、給水流量検出器の出口側から給湯流量検出器の入口側までの漏水を検知できる給湯装置を提供することを目的とする。
【課題を解決するための手段】
【０００５】
前記従来の課題を解決するために、本発明の給湯装置は、給水源からの給水流量を検出する給水流量検出器と、端末への給湯流量を検出する給湯流量検出器と、端末への給湯流量を調節する注湯電磁弁と、制御器とを備え、制御器は、注湯電磁弁が閉で、かつ給水流量検出器により検知された流量と、給湯流量検出器により検知された流量との差が所定値以上であるとき、給水流量検出器の出口側から給湯流量検出器の入口側までの間で漏水が発生していると判断するものである。
【０００６】
これによって、給水流量検出器の出口側から給湯流量検出器の入口側までの漏水を検知できるようになる。
【発明の効果】
【０００７】
本発明の給湯装置は、給水流量検出器の出口側から給湯流量検出器の入口側までの配管での漏水検知が可能となる。
【発明を実施するための最良の形態】
【０００８】
第１の発明は、給水源からの給水流量を検出する給水流量検出器と、端末への給湯流量を検出する給湯流量検出器と、端末への給湯流量を調節する注湯電磁弁と、制御器とを備え、制御器は、注湯電磁弁が閉で、かつ給水流量検出器により検知された流量と給湯流量検出器により検知された流量との差が所定値以上であるとき、給水流量検出器の出口側から給湯流量検出器の間で漏水が発生していると判断するものである。これにより、給水流量検出器の出口側から給湯流量検出器の入口側までの配管での漏水検知が可能となる。
【０００９】
第２の発明は、給水源からの給水流量を検出する給水流量検出器と、端末への給湯流量を検出する給湯流量検出器と、端末への給湯流量を調節する注湯電磁弁と、注湯電磁弁の出口側に風呂流量検出器と、制御器とを備え、制御器は、風呂流量検出器が流量を検知せず、かつ給湯流量検出器が流量を検知せず、かつ給水流量検出器が流量を検知した場合に、給水流量検出器の出口側から給湯流量検出器の間で漏水が発生していると判断するものである。それにより、給水流量検出器の出口側から給湯流量検出器の入口側までの漏水検知が可能となり、特に風呂流量検出器の水漏れも検出可能となる。
【００１０】
第３の発明は、特に第１または第２の給湯装置の給水流量検出器の入口側に遮断弁を設け、漏水が発生したと判断した場合に遮断弁を閉止とするものである。それにより、漏水と判断した場合に止水することで無駄な漏水や湯切れを防止することができる。
【００１１】
第４の発明は、特に第３の給湯装置に操作部を備え、遮断弁が閉止した場合に操作部より警告音を発するようにしたものである。それにより、使用者は瞬時に漏水が発生したことを知ることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における給湯装置を示すものである。
【００１４】
図１において、給湯装置２の内部には貯湯タンク３が格納されており、市水等を供給する給水源からの給水は給水の遮断を行う遮断弁７を通り、減圧弁４により減圧された後に貯湯タンク３へ給水される。
【００１５】
また、減圧弁４により減圧された給水の給水流量を検出する給水流量検出器５を備え、給水源から供給される給水は給水流量検出器５の出口側より分岐され、一方は貯湯タンク３へ流れ、もう一方は給湯混合弁１０へ流れる。
【００１６】
給湯混合弁１０では、貯湯タンク３から湯と給水源から供給された給水された水が混合され、端末（台所、洗面所、シャワー等）へ給湯する湯温の調節を行なった後、出湯混合弁１を介して給湯される。出湯混合弁１では、給水源から供給された給水と給湯混合弁１０からの湯水とが混合されて、湯温の調整を行われる。
【００１７】
また、風呂混合弁１３でも、貯湯タンク３から湯と給水源から供給された給水された水が混合され、混合によって得られる湯水は風呂湯温の検出を行う風呂湯温検出器１４及び注湯電磁弁１５を介して、端末（風呂）へ給湯される。
【００１８】
給湯混合弁１０や風呂混合弁１３により生成される湯水の温度調整は、操作部１７により設定できる。操作部１７で設定された湯水温度は制御器１６へ伝えられ、制御器１６は給湯混合弁１０や風呂混合弁１３での湯と水の混合比率を制御する。
【００１９】
また、給湯混合弁１０の出口側に給湯湯温の検出を行う給湯湯温検出器１１及び給湯流量検出器１２を設け、出湯紺合弁１を介して端末（台所、洗面所、シャワー等）へ給湯する際の瞬時流量は給湯流量検出器１１で検出される。
【００２０】
以上のように構成された本実施の形態において、以下その動作、作用を図２に示すフローチャートを用いて説明する。
【００２１】
まず、制御器１６は注湯電磁弁１５が閉状態であることを確認する（ステップ２０１）。次に、給水流量検出器５により検出される流量を確認し（ステップ２０２）、流量が検出されないときは遮断弁７を制御して給水源からの給水を遮断する（ステップ２０３）。また、流量が検出されたとき（すなわち給水流量検出器５の検出信号＞０であるとき）、給湯流量検出器１２により検出される流量を確認する（ステップ２０４）。
【００２２】
もし、給湯流量検出器１２により流量が検出されなければ（すなわち給湯流量検出器１２の検出信号＝０であるとき）、給水流量検出器５の出口側で漏水が発生していると判断し、操作部１７より警報音を発し遮断弁７を閉止する（ステップ２０５）。
【００２３】
もし、給湯流量検出器１２により流量が検出されれば、給水流量検出器５により検出される流量と給湯流量検出器１２により検出される流量とを比較する（ステップ２０６）。
【００２４】
比較した結果、両流量がほぼ等しい流量であったときは、給湯中と判断する（ステップ２０７）。
【００２５】
また、両流量がほぼ等しい流量とは認められない時は、漏水と判断し、操作部１７より警報音を発し遮断弁７を閉止する（ステップ２０８）。両流量がほぼ等しい流量とは認められない時とは、具体的には給水流量と給湯流量との流量差が所定値以上（例えば１Ｌ／ｍｉｎ)のあるときであり、逆に両流量の差が所定値（例えば１Ｌ／ｍｉｎ)以下であれば、両流量は等しいとみなす。流量差が所定値以下であるとき、出湯混合弁１を介して使用者に対して給湯が行われている状態なので、適切な所定値を設定することにより、漏水が発生しているとの誤判断を防止することができる。
【００２６】
以上のように、第１の実施の形態によれば、給水流量検出器の出口側から給湯流量検出器の入口側までの配管での漏水検知が可能となり、無駄な漏水や湯切れを防止することができる。
【００２７】
（実施の形態２）
第２の実施の形態は、風呂への自動沸き上げ運転を想定したものであり、その構成を図３に示す。なお、図３において図１と同様の構成に関する説明は省略し、図１に示されていない構成である風呂流量検出器１８について説明すると、風呂流量検出器１８は、注湯電磁弁１５から風呂へ給湯される配管途中に設けられ、風呂給湯水の流量を検出するものである。
【００２８】
以上のように構成された本実施の形態において、以下その動作、作用を図４に示すフローチャートを用いて説明する。
【００２９】
まず、制御器１６は注湯電磁弁１５が閉状態であることを確認する（ステップ４０１）。次に、風呂流量検出器１８により検出される流量を確認し（ステップ４０２）、流量が検出されたとき（すなわち風呂流量検出器１８の検出信号＞０であるとき）は警報音を発しつつ遮断弁７を制御して給水源からの給水を遮断する（ステップ４０３）。また、流量が検出されないとき、給湯流量検出器１２により検出される流量を確認する（ステップ４０４）。
【００３０】
そして、給湯流量検出器１２により流量が検出されたとき、給湯中と判断する（ステップ４０５）。もし、給湯流量検出器１２により流量が検出されなければ（すなわち給湯流量検出器１２の検出信号＝０であるとき）、給水流量検出器５により検出される流量を確認する（ステップ４０６）。
【００３１】
給水流量検出器５により検出されたとき（すなわち給水流量検出器５の検出信号＞０であるとき）は、漏水と判断し、操作部１７より警報音を発し遮断弁７を閉止する（ステップ４０７）。また、給水流量検出器５により検出されないとき、すでに遮断弁７により給水が遮断されていると判断する（ステップ４０８）。
【００３２】
以上のように、本発明の給湯装置によれば、貯湯タンクから給湯流量検出器へ至るまでの配管での漏水検知が可能となり、無駄な漏水や湯切れを防止することができる。
【産業上の利用可能性】
【００３３】
以上のように、本発明にかかる給湯装置は、無駄な漏水や湯切れを防止することが可能となり、電機給湯機だけでなくヒートポンプ給湯機等の用途にも適用できる。
【図面の簡単な説明】
【００３４】
【図１】本発明の実施の形態１における給湯装置の構成図
【図２】本発明の実施の形態１における給湯装置の処理フロー図
【図３】本発明の実施の形態２における給湯装置の構成図
【図４】本発明の実施の形態２における給湯装置の処理フロー図
【符号の説明】
【００３５】
５  給水流量検出器
７  遮断弁
１２  給湯流量検出器
１５  注湯電磁弁
１６  制御器
１７  操作部
１８  風呂流量検出器
【図１】
2006132891.tif 000003
【図２】
2006132891.tif 000004
【図３】
2006132891.tif 000005
【図４】
2006132891.tif 000006